(57)【要約】      （修正有）【課題】カットコードの検知センサとカットコード以外の情報を検知するセンサを共有させたプリンタにおいて、使用する用紙に設けられたカットコードより前にカットコード以外の情報を有したコードを設けることを可能とする。【解決手段】カットコードを他のコードと異なるものとし、予め設定しているカットコードを検出した場合のみ使用する用紙を切断する事としているため、正規でない位置でチケット用紙が他のチケット用紙と切り離されることは発生せず、またカットコードより前にカットコード以外の情報を有したコードを設けることが可能となる。【選択図】図２
2014021584.tif 000002
【特許請求の範囲】
【請求項１】
発券するチケットの情報を特定するコードと、この特定するコードとは異なり、検知することにより切断位置を決定する切断用コードを有したチケット用紙を搬送するチケット用紙搬送手段と、
前記チケット用紙を切断する用紙切断手段と、
前記チケット用紙に設けられた前記チケットの情報を特定するコードおよび前記切断用コードを検出するチケット用紙センサ手段と、
を有するチケットプリンタ。
【請求項２】
前記チケットの情報を特定するコードおよび前記チケット用紙切断用コードは、前記チケット用紙の搬送方向に沿って並ぶ白色と黒色の複数の第1パターンからなる第1コード列、および前記チケット用紙の搬送方向に沿って並ぶ白色と黒色の複数の第2パターンからなる第2コード列を含み、この第1および第2コード列を前記用紙の搬送方向と直交する方向に互いに隣接して配置し、第1コード列における所定数ずつの第1パターンと第2コード列における所定数ずつの第2パターンとからなる複数のブロックをそれぞれキャラクタ表現用として第1および第2コード列の列方向に配置する複数のブロックにより１つのキャラクタを構成する請求項１記載のチケットプリンタ。
【請求項３】
前記チケット用紙切断用コードは、前記チケット用紙の搬送方向に沿って並ぶ白色と黒色の複数の第1パターンからなる第1コード列、および前記チケット用紙の搬送方向に沿って並ぶ白色と黒色の複数の第2パターンからなる第2コード列のうち、用紙搬送方向に沿って並ぶ先頭のブロックの少なくとも一方は黒色のパターンである請求項２記載のチケットプリンタ。
【請求項４】
前記チケット用紙の用紙搬送方向先頭位置に設けられ、前記チケット用紙が正規のチケット用紙であるかを判断するブラックマークと、
前記ブラックマークを検出する用紙センサ手段とをさらに有し、
前記ブラックマークを検出後、予め定めた時間以降に検出したチケット用紙切断用コードはチケット用紙切断用コードと認識しない前記請求項１乃至請求項３のいずれかに記載のチケットプリンタ。
【請求項５】
前記チケット用紙の用紙搬送方向先頭位置に設けられ、前記チケット用紙が正規のチケット用紙であるかを判断するブラックマークと、
前記ブラックマークを検出する用紙センサ手段とをさらに有し、
前記ブラックマークを検出後、最初に検出したチケット用紙切断用コードのみチケット用紙切断用コードとして認識する前記請求項１乃至請求項３のいずれかに記載のチケットプリンタ。
【発明の詳細な説明】
【技術分野】
【０００１】
本発明の実施形態は、チケットプリンタに関する。
【背景技術】
【０００２】
コンサートのチケット、映画鑑賞用チケット等各種チケットを発行する店舗は数多く存在しており、チケット購入希望者はこれらチケット発行店舗へ行きチケットの購入をおこなう。
【０００３】
これらチケットの発行は各店舗に設置されている情報管理端末とこれにつながっているホストコンピュータとのやり取りにてチケットの発券情報を得、上位ホストコンピュータより得た発券許可情報を元に前記情報管理端末に接続されているプリンタにて発券をおこなう。
【０００４】
これらプリンタは、発券の際、その固有のチケット番号等を発行店舗名などと共にホストコンピュータに対し送付する。ホストコンピュータではこれら固有チケット番号、発行店舗情報、チケット発券情報を関連付けて保管している。この情報を元に、どのチケットはいつどこで発券されたものか、そのチケット用紙の固有の情報は何番なのか等が追跡可能となっている。
【０００５】
チケット用紙はその取り扱い等の関係からロール状に巻かれた状態になっており、都度一枚ごとにカットされてチケットとして発行される。発行に際しては、チケット用紙に設けられたカットマークをセンサにて検知する事でカット位置を決定している。
【先行技術文献】
【特許文献】
【０００６】
【特許文献１】特開平５−１８５６７５号公報
【発明の概要】
【発明が解決しようとする課題】
【０００７】
チケットの発行に際しては、チケット用紙に設けられたカットマークをセンサにて検知する事でカット位置を決定しているが、最初に検知したものをカットマークと認識している。この為、カットマークの検知センサとカットマーク以外の情報を有したコードを検知するセンサを共有させる場合、カットマークより前にカットマーク以外の情報を有したコードを設けることが出来ない。
【０００８】
本発明はチケット固有の情報を有したコードと、用紙のカット位置を決定するカットマークとを同一のセンサにて検知させる際、カットマークより前にチケット固有の情報を有したコードを設けることが可能なチケットプリンタを提供する。
【課題を解決するための手段】
【０００９】
一形態のチケットプリンタでは、発券するチケット用紙の、一方の面に前記チケットを特定するコードおよびチケット用紙の切断位置を決定するマークが設けられたチケット用紙を搬送するチケット用紙搬送手段と、前記チケット用紙に設けられた前記コードを検出する用紙センサ手段とを有し、前記切断位置を決定するコードは前記チケットに記載されている前記切断位置を決定するコードと異なるチケットプリンタである。
【図面の簡単な説明】
【００１０】
【図１】本発明の第１の実施形態によるチケット発券システムのシステム構成図。
【図２】本発明の第１の実施形態によるチケットプリンタの構成を示す構造図。
【図３】本発明の第１の実施形態によるチケットプリンタの上カバーを開放した際の構成を示す構造図。
【図４】本発明の第１の実施形態によるチケットプリンタの搬送部を示す平面図。
【図５】本発明の第１の実施形態によるチケットプリンタに用いるチケット用紙を示す平面図。
【図６】本発明の第１の実施形態によるチケットプリンタの制御ブロック図。
【図７】本発明の第１の実施形態による外部サーバ端末の構成例を示すブロック図。
【図８】本発明の第１の実施形態によるＰＯＳ端末の構成例を示すブロック図。
【図９】本発明の第１の実施形態によるチケット発券システムの発券の流れを示す流れ図。
【図１０】本発明の第１の実施形態によるチケットプリンタのチケット固有データコード取得時の位置関係側面図。
【図１１】本発明の第１の実施形態によるチケットプリンタのカットマーク説明図。
【図１２】本発明の第２の実施形態によるチケットプリンタの各種マーク説明図。
【図１３】本発明の第３の実施形態によるチケットプリンタの各種マーク説明図。
【図１４】本発明の第４の実施形態によるチケットプリンタの各種マーク説明図。
【発明を実施するための形態】
【００１１】
以下に本発明の一実施形態にかかるチケットプリンタを図面を参照して詳細に説明する。
【００１２】
（第１の実施形態）
一実施形態のシステム構成例を図１に示す。
【００１３】
このチケット販売システム９０は、チケット内容を把握し管理している外部サーバ１００と、この外部サーバ１００にネットワークで接続されている店舗Ａ１、店舗Ｂ２および店舗Ｃ３とからなる。
【００１４】
店舗Ａ１はチケットの発行をおこなうＰＯＳ端末４と、このＰＯＳ端末４からの発券指令に基づき実際のチケットを出力するチケットプリンタ５を有する。
【００１５】
店舗Ｂ２はチケットの発行をおこなうＰＯＳ端末４と、このＰＯＳ端末４からの発券指令に基づき実際のチケットを出力するチケットプリンタ５を有する。
【００１６】
店舗Ｃ３はチケットの発行をおこなうＰＯＳ端末４と、このＰＯＳ端末４からの発券指令に基づき実際のチケットを出力するチケットプリンタ５を有する。
【００１７】
ここで店舗数は３にて説明をしているが、このシステムにおける店舗数は１、２店舗もしくは４店舗以上であってもなんら問題はない。
【００１８】
図２乃至図４に本実施形態にかかるチケットプリンタ５の要部構成を示す。図２はチケットプリンタ５の使用状態を、図３はプリンタ上カバー７を開放している状態を示している。なお、このプリンタでは、図２において、巻軸１３に巻回されているチケット用紙８は図中Ｃ方向に回転し、搬送の際は右側から左側に向けて搬送されるので、以下の説明においては、図２中右側を上流側、左側を下流側とする。
【００１９】
チケットプリンタ５はプリンタ下カバー９に対し、プリンタ上カバー７が支軸１０を回動中心として開閉可能に取り付けられている。チケット用紙８は裏面１２が内側になるような状態で巻軸１３に巻回されており、この巻軸１３はチケットプリンタ５に回転自在に支持されている。巻回されたチケット用紙８はその下流にあるフィードローラ１４と、このフィードローラ１４に対し用紙搬送路１５を挟んで対向配置されているアイドラローラ１６との挟持により下流側に搬送される。
【００２０】
フィードローラ１４の下流には、チケット用紙８の裏面１２に設けられているコードを認識する第１のセンサ１７および第２のセンサ１８が設けられている。
【００２１】
さらにその下流にはプラテンローラ１９が設けられ、このプラテンローラ１９に対し用紙搬送路１５を挟んでサーマル印字ヘッド２０が対向配置されている。
【００２２】
さらにその下流にはカッター２１が配置されている。このカッター２１は固定刃２２と可動刃２３とを有しており、カッター２１のスリット(図示せず)に挿入されてきたチケット用紙８を固定刃２２に向け可動刃２３を図示しないモータ駆動によりスライド移動することで切断する。
【００２３】
ここでカッター２１は固定刃２２に向け可動刃２３がスライド移動するいわゆるスライド式カッターで説明したがこれに限定されるものではなく、固定刃に対し可動刃が回転することで用紙を切断するいわゆるロータリー式カッターであってもよい。
【００２４】
さらにカッター２１の下流側には、チケット用紙８の表面１１に対してサーマル印字ヘッド２０にて印字を実施した後、チケット用紙８をカッター２１にて所定の長さに切断後チケットプリンタ５から排出する排出口２４が設けられている。またプリンタ下カバー９における排出口２４の下方には切断されたチケット用紙８を保持する排出テーブル２５が設けられている。
【００２５】
またチケットプリンタ５のプリンタ上カバー７には表示部２６が設けられている。この表示部２６はＬＣＤ等の液晶ディスプレイであり、チケット発行時の情報を表示したり、またチケットプリンタ５におけるチケット用紙８の紙詰まり、チケット用紙８の用紙切れ等のエラー表示をおこなう機能を有している。
【００２６】
図４は図３におけるＡ方向より用紙搬送路１５を見た要部構成図である。また図５（ａ）（ｂ）に一例としてのチケット用紙８の表面１１と裏面１２の印刷例を示す。
【００２７】
なお、本明細書において、マークとは単にその検知の有無のみで存在の有無を判断するものであり、コードとは、センサが検知の有無のみならずその形状や値等をも判断する対象であるものとする。
【００２８】
図４中右側が上流側で左側が下流側であり、チケット用紙８は図中右から左に向かって図中Ｄ方向に搬送される。その際チケット用紙８は、チケットプリンタ５に設けられている一対の搬送横ガイド２７により斜行することを防ぎながら搬送される。
【００２９】
用紙搬送路１５にはチケット用紙８の裏面１２に設けられたブラックマーク２８（図５（ｂ）参照）を検知する第１のセンサ１７と、チケット用紙８の裏面１２に設けられたカットコード２９、スタートコード３０、チケット固有データコード３１、チェックデジットコード３２およびエンドコード３３（いずれも図５（ｂ）参照）を検知する第２のセンサ１８がチケット用紙８の搬送方向に対して直交する方向で並んで設けられている。
【００３０】
チケット用紙８は複数枚のチケット用紙８がロール状に巻回されつながった状態でチケットプリンタ５に装填される。図５においては１枚目であるチケット用紙８につながっている２枚目のチケット用紙をチケット用紙８−２、３枚目のチケット用紙をチケット用紙８−３として示している。図５（ａ）はチケット用紙８の表面１１を示したもので、サーマル印字ヘッド２０にてその券面に印字をおこなう。
【００３１】
図５（ｂ）はチケット用紙８の裏面１２を示したものである。チケット用紙８の裏面１２には予めブラックマーク２８、カットコード２９、スタートコード３０、チケット固有データコード３１、チェックデジットコード３２およびエンドコード３３が設けられている。これら各マーク及びコードについては後述する。
【００３２】
チケット用紙８はカッター２１にて図５（ａ）（ｂ）に二点鎖線にて示すカット位置３４にて切り離され発行される。
【００３３】
またチケット用紙８には予めミシン目３５が設けられている。このミシン目３５にてチケット用紙８は半券Ａ３６と半券Ｂ３７とに容易に切り離すことが可能となっており、例えば、チケット用紙８の実際の使用時において、半券Ａ３６を会場で担当者に渡し半券Ｂ３７を控えとしてチケット購入者に渡す使い方をする。
【００３４】
上述したチケットプリンタ５の制御部６０の一例を図６に示す。この制御部６０は、用紙搬送の制御をおこなう手段、印刷の制御をおこなう手段、用紙切断の制御をおこなう手段、用紙排出の制御をおこなう手段とからなっている。またチケットプリンタ５はＰＯＳ端末４、外部サーバ１００とも接続されている。
【００３５】
この制御部６０は、ＰＯＳ端末４や外部サーバ１００との連係および各種の制御の実行をおこなう、例えば、マイクロコンピュータで構成されている。制御部６０の中央処理装置（ＭＰＵ）６１は、プログラムに従って用紙搬送制御、印字制御、用紙切断制御、用紙排出制御等の各種の制御や演算をおこなう。またこのＭＰＵ６１は、時間設定および時間制御をおこなう手段としてタイマ７１を備えている。
【００３６】
このＭＰＵ６１で実行する制御プログラムや制御または演算途上のデータや外部サーバからのデータ等を格納する主記憶手段としてＲＯＭ６２およびＲＡＭ６３が設置されている。ＲＯＭ６２は制御プログラムやテーブル等を持つ読出し専用メモリであり、ＲＡＭ６３は演算途上のデータや外部サーバ１００からのデータ等を格納する随時書込みメモリである。
【００３７】
また、この制御部６０には、外部サーバ１００からの各種の入力データの取込みや、外部サーバ１００への制御部６０の制御出力の取出しをおこなう入出力ユニット（Ｉ／Ｏ）６４が設けられている。このＩ／Ｏ６４は、ＭＰＵ６１、ＲＯＭ６２およびＲＡＭ６３とをバスを通じて連係されている。
【００３８】
また、このＩ／Ｏ６４には制御出力を取り出すための手段として、第１から第６のドライバ６５、ドライバ６６，ドライバ６７，ドライバ６８，ドライバ６９およびドライバ７０が接続されている。
【００３９】
フィードローラ１４はＭＰＵ６１のチケット用紙８の搬送指令手段としてのドライバ６６を介して、図示しないモータによりフィードローラ１４を駆動させ、このフィードローラ１４に対し用紙搬送路１５を挟んで対向配置されているアイドラローラ１６との挟持によりチケット用紙８を下流側に搬送する。
【００４０】
また制御部６０のＭＰＵ６１はドライバ６７を介してチケット用紙８の裏面１２に予め設けられているブラックマーク２８を検知する指令を第１のセンサ１７に対して出す。
【００４１】
また制御部６０のＭＰＵ６１はドライバ６８を介してチケット用紙８の裏面１２に予め設けられているカットコード２９、スタートコード３０、チケット固有データコード３１、チェックデジットコード３２およびエンドコード３３を検知する信号を第２のセンサ１８に対して出す。
【００４２】
印字機構３８は、図２にて説明したサーマル印字ヘッド２０およびプラテンローラ１９を備えている。このプラテンローラ１９は、ＭＰＵ６１の印字指令手段としてのドライバ６５の制御出力に基づき、図示しないモータにより印字動作と同期して回転駆動される。サーマル印字ヘッド２０は、外部サーバ１００からの印字データに基づいて、チケット用紙８に印字をおこなう。
【００４３】
また、制御部６０のＭＰＵ６１はドライバ６９を介してカッター２１を駆動させチケット用紙８を切断する。
【００４４】
また、制御部６０のＭＰＵ６１はドライバ７０を介して表示部２６にチケットプリンタ５のチケット発行時の情報やエラー内容等を表示する。
【００４５】
図７に外部サーバ１００の構成例を示す。外部サーバ１００は、店舗チケット情報６、チケット販売情報保管部３９、条件保管部４０、発行可否判断部４１、データ送受信部４２、チケットデータ送信部４３、チケットデータ保管部４４、正規チケット判断部４５、関連付けデータ保管部４６、追跡データ条件入力部５７、チケット固有データ保管部５８とを備えている。
【００４６】
チケット用紙８は複数枚のチケット用紙８をロール上に巻回してあるが、これらチケット用紙８の裏面に予め設けられているチケット固有データコード３１は全て異なるコードとなっている。またこのチケット固有データコード３１は同一の店舗内に装填されている複数枚のチケット用紙８で全てが異なるコードであるのみならず他店舗である店舗Ｂ２や店舗Ｃ３に装填されているチケット用紙８の全てのチケット用紙８記載のコードとも異なっている。このチケット固有データコード３１は各店舗にチケット用紙８が送られた時点で外部サーバ１００に店舗チケット情報６として保管されている。
【００４７】
チケット販売情報保管部３９は、映画会社、映画館等より入手した発券可能な映画チケットの情報（日付、時間、映画名、上映場所、座席等）を保管している。
【００４８】
条件保管部４０は、店舗Ａ１に来たチケット発行希望者もしくは店舗Ａ１にいるチケット発行代理手続者がＰＯＳ端末４を介して希望するチケットの条件を一時保管する部分であり、例えば○月○日のＡ映画館のＢという映画名といったデータが保管される。
【００４９】
発行可否判断部４１は、チケット販売情報保管部３９のデータと条件保管部４０のデータとを比較し、チケット発行希望者が入力した条件でチケットの発行が可・不可のいずれかであるかを判断する。
【００５０】
チケットデータ送信部４３は、チケット発券指令部５３からのチケット発行依頼を受領し、チケットデータ保管部４４に対してチケットデータの送信、保管の指示や、チケットデータをチケットプリンタ５に対して送付する。チケットデータ保管部４４は、後述するチケットデータ送信部５５より送付されてきたチケットデータを保管する。
【００５１】
正規チケット判断部４５は、チケットデータ保管部４４のデータと、店舗チケット情報６とを比較し、正規の店舗から発行されたチケットであるか、正規のチケット用紙を用いているかを判断する。
【００５２】
関連付けデータ保管部４６は、正規チケット判断部４５にて正規チケットであると判断された場合に、チケットデータと店舗チケット情報６との関連付け後の情報を保管する。
【００５３】
追跡データ条件入力部５７は、発行されたチケットに対し何らかの理由でそのチケットの発行内容を追跡することになった場合の検索条件を保管するとともに、関連付けデータ保管部４６よりこの条件の発行済チケットの情報を抽出する。
【００５４】
チケット固有データコード保管部５８は、チケットデータ送信部５５より送られてきたチケット固有データコード３１を保管する。またデータ送受信部４２は、サーバ１００に設けられた各部のデータをＰＯＳ端末４に送付したり、ＰＯＳ端末４から送られてきた各種データをサーバ１００に設けられた各部に送る際にその送受信を仲介する。
【００５５】
図８にＰＯＳ端末４の構成例を示す。
【００５６】
ＰＯＳ端末４は、データ送受信部５０と、チケット固有データ保管部５１と、チケット発券条件入力部５２と、チケット発券指令部５３と、チケットデータ保管部５４と、チケットデータ送信部５５を備えている。
【００５７】
データ送受信部５０は、ＰＯＳ端末４に設けられた各部のデータをサーバ１００やチケットプリンタ５に送付したり、サーバ１００やチケットプリンタ５から送られてきた各種データをＰＯＳ端末４に設けられた各部に送る際にその送受信を仲介する。
【００５８】
チケット固有データコード保管部５１は、チケットプリンタ５より受信したチケット固有データコード３１を保管する。
【００５９】
チケット発券条件入力部５２は店舗Ａ１に来たチケット発行希望者もしくは店舗Ａ１にいるチケット発行代理手続者が希望するチケットの条件を入力する部分であり、例えば○月○日のＡ映画館のＢという映画名といったデータが保管される。
【００６０】
チケット発券指令部５３は、発行可否判断部４１での発行可能との情報を得て、チケットデータ送信部４３へチケット発行の依頼をおこなう。
【００６１】
チケットデータ保管部５４は、チケットデータ送信部４３からのチケットデータ送信依頼を受け、そのチケットデータを保管するとともにチケットプリンタ５へそのチケットデータを送る。
【００６２】
チケットデータ送信部５５は、チケット固有データ保管部５８にチケット固有データコード３１を送るとともに、チケットデータ保管部４４にチケットデータを送る。
【００６３】
以下、チケットの購入の方法ならびにチケットの発券の方法を図７、図８、および図９のフローチャートを用いて説明する。なお今回は映画のチケットを購入する場合を例に説明する。
【００６４】
チケットプリンタ５のチケット用紙８、８−２、８−３はつながった状態でチケットプリンタ５に装填されている。ここでチケット用紙８、８−２、８−３はチケット用紙８の一枚前のチケットを発行後規定の待機位置で停止している。この待機位置は後述する。
【００６５】
チケット購入希望者は店舗Ａ１に行き（Ｓ１）、ＰＯＳ端末４のチケット発券条件入力部５２に希望する上映時間、希望する映画名、希望する映画館等の条件を入力する（Ｓ２）。その条件をＰＯＳ端末４に設けられているデータ送受信部５０経由にてその条件でチケットが購入可能かを外部サーバ１００に問合せる（Ｓ３）。外部サーバ１００は店舗Ａ１のＰＯＳ端末４より送付されてきた条件を条件保管部４０に保管し、その後発行可否判断部４１にてチケット販売情報保管部３９と条件保管部４０とを比較しチケットの発行が可能かを判断しその結果をデータ送受信部４２を経由して店舗Ａ１のＰＯＳ端末４に返信する。
【００６６】
ここでチケット発行不可との返信があった場合（Ｓ３のＮ）、店舗Ａ１のＰＯＳ端末４は別の条件でチケットを購入するかをチケット購入者に問合せる（Ｓ４）。ここでチケット購入者が別条件での購入を希望しない場合（Ｓ４のＮ）、チケットの購入は中止となる（Ｓ６）。またチケット購入者が別条件での購入を希望する場合（Ｓ４のＹ）、新たな条件を入力させ（Ｓ５）、その条件を再度外部サーバ１００に送信し、その条件でチケットが購入可能かを外部サーバ１００に問合わせる（Ｓ３）。
【００６７】
外部サーバ１００は店舗Ａ１のＰＯＳ端末４より送付されてきた条件でチケットが発行可能との返信を店舗Ａ１のＰＯＳ端末４に送信した場合（Ｓ３のＹ）、店舗Ａ１のＰＯＳ端末４はチケット発券指令部５３より外部サーバ１００に対してチケット発行依頼を送信する（Ｓ７）。
【００６８】
外部サーバ１００はこの発行依頼を受けると、チケットデータ送信部４３は店舗Ａ１のＰＯＳ端末４に向けチケットデータを送信する（Ｓ８）と共にチケット販売情報保管部３９より前記チケットデータを削除する。
【００６９】
店舗Ａ１のＰＯＳ端末４は外部サーバ１００からのチケットデータを受信すると、チケットデータ保管部５４にこのチケットデータを保管する（Ｓ９）。
【００７０】
その後店舗Ａ１のＰＯＳ端末４はチケットデータ送信部５５よりチケットプリンタ５に対してチケットデータを送信する。チケットプリンタ５は前述の制御部６０のドライバ６５、ドライバ６６等を介して印字機構３８やフィードローラ１４を駆動させチケット用紙８の表面１１にチケット情報の印字を開始する（Ｓ１０）。
【００７１】
図１０（ｃ）にチケット用紙８−２の前のチケットであるチケット用紙８を発行後の、チケット用紙８−２、チケット用紙８−３と第１のセンサ１７、第２のセンサ１８、カッター２１の位置関係を示す。この位置が待機位置であり、後述するように、この時点では既にチケット用紙８とチケット用紙８−２とを切り離してあるとともに、チケット用紙８−２が定形のチケット用紙であることの確認およびカットコード２９の検出は終了している。
【００７２】
チケットプリンタ５はチケット用紙８の表面１１にチケット用紙８−２を搬送させながらチケット情報を印字すると同時に、第２のセンサ１８でチケット用紙８−２の裏面１２に設けられているスタートコード３０、チケット固有データコード３１、チェックデジットコード３２およびエンドコード３３を検出する。
【００７３】
チケット用紙８−２は待機位置から下流側に向けて搬送されると、まず初めに、第２のセンサ１８にてチケット用紙８−２の裏面１２に設けられているスタートコード３０を検知する。
【００７４】
このスタートコード３０を検知することでそれ以降の検知したデータはチケット固有データコード３１であると認識されＲＡＭ６３に順次記憶される。なお本実施形態ではチケット固有データコード３１は９個設けられているとして記載してある。
【００７５】
搬送が継続され９個のチケット固有データコード３１がＲＡＭ６３に記憶された後、第２のセンサ１８はチェックデジットコード３２を検知する。このチェックデジットコード３２を検知するとチケット固有データコード３１の記載が終了であると認識するとともにチェックデジットコード３２と比較して正しくチケット固有データコード３１が認識されたかを確認する。
【００７６】
次に搬送が継続されると第２のセンサ１８はエンドコード３３を検知する（Ｓ１１）。
【００７７】
このエンドコード３３の検知にてチケット固有データコード３１の検出は完了となる。
【００７８】
このエンドコード３３を検知するとチケットプリンタ５はチケット固有データコード３１の検出が完了したと判断し、店舗Ａ１のＰＯＳ端末４に対して検出したチケット固有データコード３１を送信する。
【００７９】
チケット用紙８−２は引き続き下流方向に搬送されると、次に第１のセンサ１７にてチケット用紙８−３の裏面１２に設けられているブラックマーク２８を検知する。このブラックマーク２８を第１のセンサ１７にて検知すると次に発行される際に用いられるチケット用紙８−３は定形のチケット用紙であると判断する。
【００８０】
その後引き続き搬送を継続すると、次に第２のセンサ１８にてチケット用紙８−３の裏面１２に設けられているカットコード２９を検知する。この状態におけるチケット用紙８−２，８−３と第１のセンサ１７、第２のセンサ１８、カッター２１の位置関係を図１０（ａ）に示す。
【００８１】
次に、第２のセンサ１８にてチケット用紙８−３の裏面１２に設けられているカットコード２９を検知すると、チケット用紙８−３は下流方向へＸだけ搬送され、その時点でカッター２１にてチケット用紙８−２とチケット用紙８−３とを切り離す。その後引き続き搬送を継続すると、第２のセンサ１８はスタートコード３０を検知し、この位置で停止する。この状態が前述の待機位置である。
【００８２】
なおチケット用紙８−２の表面１１への印字であるが、待機位置におけるサーマル印字ヘッド２０の位置から、第２のセンサ１８がチケット用紙８−２の裏面に設けられているエンドコード３３を検知後サーマル印字ヘッド２０がチケット用紙８−２とチケット用紙８−３の間にあるカット位置３４を超えるまでの間であればどのタイミングで印字を開始、終了しても問題ない。
【００８３】
この後ＰＯＳ端末４はチケットプリンタ５より送付されてきたチケット固有データコード３１をチケット固有データコード保管部５１に保管すると共にチケットデータ保管部５４に保管されているチケットデータとを合わせてチケットデータ送信部５５より外部サーバ１００に送信する（Ｓ１２）。
【００８４】
カットコード２９、スタートコード３０、チケット固有データコード３１、チェックデジットコード３２およびエンドコード３３の一例を図１１に示す。カットコード２９、スタートコード３０、チケット固有データコード３１、チェックデジットコード３２およびエンドコード３３は、チケット用紙８の前記用紙の搬送方向に沿って並ぶ白色と黒色の複数の第1パターンからなる第1コード列、および前記用紙の搬送方向に沿って並ぶ白色と黒色の複数の第2パターンからなる第2コード列を含み、この第1および第2コード列を前記用紙の搬送方向と直交する方向に互いに隣接して配置し、第1コード列における所定数ずつの第1パターンと第2コード列における所定数ずつの第2パターンとからなる複数のブロックをそれぞれキャラクタ表現用として第1および第2コード列の列方向に配置してある。なお今回は第１コード列のブロックにおいて、用紙搬送方向に沿って並ぶ先頭のブロックから、実施形態の説明に１，３，５と番号を付け、同じく第２コード列のブロックにおいて、用紙搬送方向に沿って並ぶ先頭のブロックから２，４，６と番号を付けた場合において、この１，２，３，４，５，６の計６個にて１つのキャラクタとし、この１つのキャラクタにて１つのコードとしている。
【００８５】
なおこの６ブロックの組み合わせにてカットコード２９、スタートコード３０、チケット固有データコード３１、チェックデジットコード３２およびエンドコード３３を示すものとするが、これに限定されるものではなく、コード列は１もしくは３以上であっても良いし、また１つのキャラクタを６に限定する必要もない。
【００８６】
本実施形態では第１コード列のブロックである１，３と第２コード列のブロックである２，４，６とで構成された１，２，３，４，６をカットコード２９と設定してあり、搬送中に第２のセンサ１８がこの形状のコードを検知した場合チケット用紙８を切断するように設定されている。
【００８７】
チケット用紙８が待機位置から搬送されるとスタートコード３０、チケット固有データコード３１、チェックデジットコード３２、エンドコード３３を検出するがいずれの部分にもカットコード２９である１，２，３，４，６のキャラクタによるコードが存在していなければチケットプリンタ５はチケット用紙８の切断を行なわない。
【００８８】
例えば、図１１においてはスタートコード３０はブロック１，４，５にて構成されており、またチケット固有データコード３１はブロック１，２，３，４にて構成されているが、いずれもカットコード２９であるブロック１，２，３，４，６とは異なるためカットコードとしては認識されずカットされることはない。
【００８９】
以上のように、カットコード２９を他のマークと異なるものとし、予め設定しているカットコード２９を検出した場合のみチケット用紙８を切断する事としているため、正規でない位置でチケット用紙が他のチケット用紙と切り離されることは発生しない。
【００９０】
（第２の実施形態）
図１２に第２の実施形態を記載する。第２の実施形態は、前記チケットを特定するコードおよび用紙切断用コードは、チケット用紙の搬送方向に沿って並ぶ白色と黒色の複数の第1パターンからなる第1コード列、および前記チケット用紙の搬送方向に沿って並ぶ白色と黒色の複数の第2パターンからなる第2コード列を含み、この第1および第2コード列を前記用紙の搬送方向と直交する方向に互いに隣接して配置し、第1コード列における所定数ずつの第1パターンと第2コード列における所定数ずつの第2パターンとからなる複数のブロックをそれぞれキャラクタ表現用として第1および第2コード列の列方向に配置する複数のブロックにより１つのキャラクタを構成した場合において、前記チケット用紙の搬送方向に沿って並ぶ白色と黒色の複数の第1パターンからなる第1コード列、および前記チケット用紙の搬送方向に沿って並ぶ白色と黒色の複数の第2パターンからなる第2コード列のうち、用紙搬送方向に沿って並ぶ先頭のブロックにおいて、少なくとも一方は黒色のパターンとしている。
【００９１】
図１２（ａ）に第１コード列および第２コード列の搬送方向における先頭行である１，４ならびに第２行である２，５が黒色のパターンの場合を、図１２（ｂ）に第１コード列および第２コード列の搬送方向における第２行である２，５ならびに第３行である３、６が黒色のパターンの場合を示す。図１２（ａ）は用紙搬送方向に沿って並ぶ先頭のブロックにおいて、少なくとも一方は黒色のパターンとしているが、図１２（ｂ）は用紙搬送方向に沿って並ぶ先頭のブロックにおいて、黒色のパターンが存在していない。
【００９２】
この場合において、黒２列が２行連続して検知された場合すなわちブロック１，２，３，４がカットコードとして予め設定されている。この場合において図１２（ａ）の場合も図１２（ｂ）の場合も黒２列が２行連続して検知されるのでカットコードと認識する。しかしながらカットコードの認識の完了の位置が図１２（ａ）と図１２（ｂ）とでは異なっており、このカットコードの認識の完了位置の違いがそのままカット位置の違いとなってしまう。
【００９３】
図１２（ｃ）と図１２（ｄ）ではよりカットコードの認識の完了位置に違いが発生する。これはまたカットコードを構成するパターンのサイズが大きければ大きいほど顕著に現れる。
【００９４】
しかしながら用紙搬送方向に沿って並ぶ先頭のブロックにおいて、少なくとも一方は黒色のパターンとしているのでカットコードの認識の先頭位置がずれることはなく、またどのキャラクタがカットコードとして認識するかを予め決定しているのでカットコードの認識の完了位置に違いが発生することはない。
【００９５】
（第３の実施形態）
図１３に第３の実施形態を記載する。第３の実施形態は、チケット用紙８の裏面にあるカットコード２９がカットコード２９、スタートコード３０、チケット固有データコード３１、チェックデジットコード３２、エンドコード３３等のコードの先頭にないことである。
【００９６】
先頭にカットコード２９がなくとも、指定したコードを検知した場合にカットコードとして認識させるため、カットコードより上流側にチケット固有データコード等を記載する事が可能となり、より多くのデータをチケット用紙８の裏面に設けることが可能となる。
【００９７】
第１の実施形態ではチケット固有データコード３１は９個のコードであるとしたが、一例として示す第３の実施形態では１５個のコードとしている。これにより多くのコードにてチケット固有データコードを構成することが可能となる。
【００９８】
なお、この場合においては、スタートコード３０を検知した場合に、それ以降のコードをチケット固有データコード３１として認識させる事はおこなわない。
【００９９】
（第４の実施形態）
図１４に第４の実施形態を記載する。第４の実施形態は、ブラックマーク２８を第１のセンサにて検知後予め定めた一定時間以内にカットコードとして設定した形状を検知した場合のみカットコードとして認識する。
【０１００】
なおタイマはＭＰＵ６１に設けられているタイマ７１を用いて時間計測をおこなう。
【０１０１】
図１４はチケット固有データコード３１の６番目のチケット固有データコード３１‘が汚れの付着等によりカットコード２９と同じ形状となってしまった場合を示している。第１の実施形態乃至第３の実施形態においては、このチケット固有データコード３１‘はカットコード２９と認識するためチケット用紙のカットを実施することとなり、正規でない位置でチケット用紙のカットがおこなわれる。
【０１０２】
しかしながら第４の実施形態では、ブラックマーク２８を第１のセンサにて検知後予め定めた一定時間以内にカットコードとして設定した形状を検知した場合のみカットコードとして認識するとしているため、正規の位置に設けられているカットコード２９のみをカットコードとして認識する様に前記の時間を設定することでチケット固有データコード３１‘がカットコード２９と同じデータとなっていたとしてもチケット用紙をカットすることは発生しない。
【０１０３】
なお前記設定時間であるが、ブラックマーク２８を第１のセンサにて検知した時点を計測時間の開始としても良いし、待機位置からの搬送開始時点を計測時間の開始としても良い。ここでブラックマーク２８を第１のセンサにて検知した時点を計測時間の開始とする場合、待機時点から次のチケット発行までの時間は固定ではない。そのため、ブラックマーク２８を第１のセンサにて検知した時点を計測時間の開始とする場合は、ブラックマーク２８を第１のセンサにて検知した時点から正規のカットコード２９を検知するまでの時間を固定しておき、この固定時間と待機位置での搬送開始時点からの経過時間の合計時間内に予め定めた計測時間内にカットコードとして設定した形状を検知した場合カットコードと認識するとすればよい。
【０１０４】
また、第４の実施形態では設定時間にてカットマークの検知の有無を判断しているがこれに限定する必要はなく、例えばチケット用紙の搬送にステッピングモーターを使用している場合、ブラックマーク２８を第１のセンサにて検知した時点から予め定めたステップ数だけ搬送モータが回転するまでに、カットコードとして設定した形状を検知した場合カットマークと認識する、待機位置から予め定めたステップ数だけ搬送モータが回転するまでに、カットマークとして設定した形状を検知した場合カットコードと認識するといったものでも良い。
【０１０５】
また、ブラックマークに関してもマークに限定する必要はなく、ブラックコードとしてチケットプリンタに設け、このブラックコードを検知後予めに定めた一定時間以内にカットコードとして設定した形状を検知した場合のみカットコードとして認識するとして良い。
【０１０６】
（第５の実施形態）
第５の実施形態は、ブラックマーク２８を第１のセンサにて検知後、最初にカットコードとして設定した形状を検知したコードのみをカットコードとして認識するというものである。
【０１０７】
これにより図１４のチケット固有データコード３１‘がカットコード２９と同じキャラクタとなっていたとしても、最初のカットコードと認識されないためチケット用紙をカットすることは発生しない。
【０１０８】
また、ブラックマークに関してもマークに限定する必要はなく、ブラックコードとしてチケットプリンタに設け、このブラックコードを検知後最初にカットコードとして設定した形状を検知したコードのみをカットコードとして認識するとして良い。
【０１０９】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【０１１０】
１・・店舗Ａ
４・・ＰＯＳ端末
５・・チケットプリンタ
８・・チケット用紙
１７・・第１のセンサ
１８・・第２のセンサ
１９・・プラテンローラ
２０・・サーマル印字ヘッド
２１・・カッター
３１・・チケット固有データコード
９０・・チケット販売システム
１００・・外部サーバ
【図１】
2014021584.tif 000003
【図２】
2014021584.tif 000004
【図３】
2014021584.tif 000005
【図４】
2014021584.tif 000006
【図５】
2014021584.tif 000007
【図６】
2014021584.tif 000008
【図７】
2014021584.tif 000009
【図８】
2014021584.tif 000010
【図９】
2014021584.tif 000011
【図１０】
2014021584.tif 000012
【図１１】
2014021584.tif 000013
【図１２】
2014021584.tif 000014
【図１３】
2014021584.tif 000015
【図１４】
2014021584.tif 000016